(57)【特許請求の範囲】
【請求項１】
個々の利用者が保持する各携帯端末に対して指定されたＷｅｂページのデータを配信する情報配信システムにおいて、
あらかじめ格納されている文字列、画像または動画などからなる複数の番組を所定のスケジュールにしたがって切り替えて第１のディスプレイに表示する第１の表示手段と、
前記第１の表示手段により表示中の番組に対応づけられて記憶されているＵＲＬを前記番組の表示開始から表示終了の間のみ無線により発信するＵＲＬ送信手段と、
を備え、
前記各携帯端末はそれぞれ、
前記ＵＲＬ送信手段によって発信されているＵＲＬの受信指示を受け付ける受付手段と、
前記受付手段による受信指示の入力を受け付けた場合に、前記ＵＲＬ送信手段により発信されているＵＲＬを受信するＵＲＬ受信手段と、
前記ＵＲＬ受信手段により受信されたＵＲＬで特定されるＷｅｂページを構成するファイルを当該ファイルの保管元の情報処理装置に対して送信要求して、当該ファイルの保管元の情報処理装置から受信するＷｅｂページ受信手段と、
前記Ｗｅｂページ受信手段により受信されたファイルを前記携帯端末上の第２のディスプレイに表示する第２の表示手段と、
を備えたことを特徴とする情報配信システム。
【請求項２】
前記第１のディスプレイは、車内ディスプレイであることを特徴とする前記請求項１に記載の情報配信システム。
【請求項３】
前記ＵＲＬ送信手段により配信されたＵＲＬにはそれぞれ当該ＵＲＬが選択されるための選択条件が対応付けされて記憶されており、
前記各携帯端末装置には、当該携帯端末装置の保持者の個人情報が記憶されており、
前記ＵＲＬ送信手段により配信された複数のＵＲＬのうち、前記選択条件と前記個人情報とが合致するものを一つ選択するＵＲＬ選択手段を備え、
前記Ｗｅｂページ受信手段は、前記ＵＲＬ選択手段により選択されたＵＲＬで特定されるＷｅｂページを構成するファイルを当該ファイルの保管元の情報処理装置から受信することを特徴とする前記請求項１または２に記載の情報配信システム。
【請求項４】
個々の利用者が保持する各携帯端末に対して指定されたＷｅｂページのデータを配信する情報配信方法において、
あらかじめ格納されている文字列、画像または動画などからなる複数の番組を所定のスケジュールにしたがって切り替えて第１のディスプレイに表示する第１の表示工程と、
前記第１の表示工程で表示中の番組に対応づけられて記憶されているＵＲＬを前記番組の表示開始から表示終了の間のみ無線により発信するＵＲＬ送信工程と、
を含み、
前記各携帯端末がそれぞれ、
前記ＵＲＬ送信工程で発信されているＵＲＬの受信指示を受け付ける受付工程と、
前記受付工程で受信指示の入力を受け付けた場合に、前記ＵＲＬ送信工程で発信されているＵＲＬを受信するＵＲＬ受信工程と、
前記ＵＲＬ受信工程で受信されたＵＲＬで特定されるＷｅｂページを構成するファイルを当該ファイルの保管元の情報処理装置に対して送信要求して、当該ファイルの保管元の情報処理装置から受信するＷｅｂページ受信工程と、
前記Ｗｅｂページ受信工程で受信されたファイルを前記携帯端末上の第２のディスプレイに表示する第２の表示工程と、
を含んだことを特徴とする情報配信方法。
【請求項５】
前記ＵＲＬ送信手段により配信されたＵＲＬにはそれぞれ当該ＵＲＬが選択されるための選択条件が対応付けされて記憶されており、
前記各携帯端末装置には、当該携帯端末装置の保持者の個人情報が記憶されており、
前記ＵＲＬ送信工程により配信された複数のＵＲＬのうち、前記選択条件と前記個人情報とが合致するものを一つ選択するＵＲＬ選択工程を含み、
前記Ｗｅｂページ受信工程では、前記ＵＲＬ選択工程で選択されたＵＲＬで特定されるＷｅｂページを構成するファイルを当該ファイルの保管元の情報処理装置から受信することを特徴とする前記請求項４に記載の情報配信方法。
【請求項６】
前記請求項４または請求項５に記載された方法をコンピュータに実行させるプログラム。
【発明の詳細な説明】
【０００１】
【発明の属する技術分野】
この発明は、個々の利用者が保持する携帯端末に対して指定されたＷｅｂページのデータを配信する情報配信システム、情報配信方法およびその方法をコンピュータに実行させるプログラムに関する。
【０００２】
【従来の技術】
当初は軍事的用途や学術的用途から出発したインターネットも、近年では急速にその商業化が進み、いまや多少でも名のある企業で、独自のホームページを持たない例はごく稀となっている。そして、こうしたホームページのＵＲＬは、あらゆる媒体、たとえば電車内の吊り広告やテレビＣＭなどを通じて、不特定多数の顧客あるいは潜在的な顧客への周知がはかられている。
【０００３】
【発明が解決しようとする課題】
しかしながら、たとえば電車内の吊り広告では、下車する直前にその広告を見つけた場合や、満員電車で鞄の中の手帳を取り出せない場合など、時間的・空間的な制約のために気になったＵＲＬを記憶・記録できないことも多い。また、同じく電車内のテレビＣＭでは、関心のある番組（通常は一つの番組で数十秒〜数分）をうっかり見逃してしまうと、複数の番組が順次切り替わって上記番組の番となるまでずっと待っていなければならなかった。
【０００４】
この発明は上記従来技術による問題を解決するため、ある情報に関心を示した利用者の保持する携帯端末に、当該情報の詳細などを迅速かつ効率的に配信することが可能な情報配信システム、情報配信方法およびその方法をコンピュータに実行させるプログラムを提供することを目的とする。
【０００５】
【課題を解決するための手段】
上述した課題を解決し、目的を達成するため、この発明にかかる情報配信システムは、個々の利用者が保持する携帯端末に対して指定されたＷｅｂページのデータを配信する情報配信システムにおいて、文字列、画像または動画などからなる番組を第１のディスプレイに表示する第１の表示手段と、前記第１の表示手段により表示中の番組に対応づけられたＵＲＬを送信するＵＲＬ送信手段と、前記ＵＲＬ送信手段により送信されたＵＲＬを受信するＵＲＬ受信手段と、前記ＵＲＬ受信手段により受信されたＵＲＬで特定されるＷｅｂページを構成するファイルを当該ファイルの保管元の情報処理装置から受信するＷｅｂページ受信手段と、前記Ｗｅｂページ受信手段により受信されたファイルを前記携帯端末上の第２のディスプレイに表示する第２の表示手段と、を備えたことを特徴とする。
【０００６】
この発明によれば、利用者は自己の携帯端末を操作することで、ＴＶ放映中の番組に関連するＷｅｂページを当該端末上に表示させることができる。
【０００７】
また、この発明にかかる情報配信システムは、前記の発明において、さらに、前記ＵＲＬ送信手段により送信されたＵＲＬのうちいずれか一つを選択するＵＲＬ選択手段を備え、前記Ｗｅｂページ受信手段が、前記ＵＲＬ選択手段により選択されたＵＲＬで特定されるＷｅｂページを構成するファイルを当該ファイルの保管元の情報処理装置から受信することを特徴とする。
【０００８】
この発明によれば、利用者は自己の携帯端末を操作することで、ＴＶ放映中の番組に関連するＷｅｂページのうち、当該利用者の特性に応じて選択されたものだけを当該端末上に表示させることができる。
【０００９】
また、この発明にかかる情報配信方法は、個々の利用者が保持する携帯端末に対して指定されたＷｅｂページのデータを配信する情報配信方法において、文字列、画像または動画などからなる番組を第１のディスプレイに表示する第１の表示工程と、前記第１の表示工程で表示中の番組に対応づけられたＵＲＬを送信するＵＲＬ送信工程と、前記ＵＲＬ送信工程で送信されたＵＲＬを受信するＵＲＬ受信工程と、前記ＵＲＬ受信工程で受信されたＵＲＬで特定されるＷｅｂページを構成するファイルを当該ファイルの保管元の情報処理装置から受信するＷｅｂページ受信工程と、前記Ｗｅｂページ受信工程で受信されたファイルを前記携帯端末上の第２のディスプレイに表示する第２の表示工程と、を含んだことを特徴とする。
【００１０】
この発明によれば、利用者は自己の携帯端末を操作することで、ＴＶ放映中の番組に関連するＷｅｂページを当該端末上に表示させることができる。
【００１１】
また、この発明にかかる情報配信方法は、前記の発明において、さらに、前記ＵＲＬ送信工程で送信されたＵＲＬのうちいずれか一つを選択するＵＲＬ選択工程を含み、前記Ｗｅｂページ受信工程では、前記ＵＲＬ選択工程で選択されたＵＲＬで特定されるＷｅｂページを構成するファイルを当該ファイルの保管元の情報処理装置から受信することを特徴とする。
【００１２】
この発明によれば、利用者は自己の携帯端末を操作することで、ＴＶ放映中の番組に関連するＷｅｂページのうち、当該利用者の特性に応じて選択されたものだけを当該端末上に表示させることができる。
【００１３】
また、この発明にかかるプログラムによれば、前記に記載された方法がコンピュータによって実行される。
【００１４】
【発明の実施の形態】
以下に添付図面を参照して、この発明による情報配信システム、情報配信方法およびその方法をコンピュータに実行させるプログラムの好適な実施の形態を詳細に説明する。
【００１５】
（実施の形態１）
図１は、この発明の実施の形態１による情報配信システムのシステム構成を示す説明図である。まず、１００は電車内に設置された車内ＴＶであり、ニュースや天気予報、ＣＭなどの各種番組（コンテンツ）をそのディスプレイで順次切替表示（放映）する。また、それとともに各番組の放映中、当該番組に対応づけられたＵＲＬを無線により半径数メートルの範囲に送信する。
【００１６】
１０１は、車内ＴＶ１００から発信された上記ＵＲＬを受信する携帯電話である。上記ＵＲＬを搬送する電波は到達距離が短いため、受信するには車内ＴＶ１００から半径数メートルの範囲内にいなければならない。なお、１０１は必ずしも携帯電話に限らず、たとえばＰＤＡなど、個々の乗客が保持する携帯端末であれば何であってもよい。
【００１７】
なお、携帯電話１０１のＵＲＬ受信機能は、具体的にはＪａｖａ（Ｒ）などで記述されたプログラムにより実現され、このプログラムはあらかじめインターネット１０２上の所定のホームページからダウンロードされて、上記装置に組み込まれているものとする。
【００１８】
また携帯電話１０１には、所定のプロトコルにより無線基地局１０３およびＩＳＰ１０４を介してインターネット１０２に接続するとともに、操作者が指定したＵＲＬのＷｅｂページを取得してそのディスプレイに表示するプログラム（Ｗｅｂブラウザ）もあらかじめ組み込まれている。
【００１９】
また、１０５はインターネット１０２上に設置されたＷｅｂサーバであり、パーソナルコンピュータや携帯電話機など各種の情報処理装置からの要求を受けて、指定されたＵＲＬのＷｅｂページを要求元に返信する。
【００２０】
つぎに、図２はこの発明の実施の形態１による車内ＴＶ１００のハードウエア構成の一例を示す説明図である。同図において、２０１は装置全体を制御するＣＰＵを、２０２は以下で説明する番組切替プログラムやＵＲＬ送信プログラムなどを記憶したＲＯＭを、２０３はＣＰＵ２０１のワークエリアとして使用されるＲＡＭを、それぞれ示している。
【００２１】
また、２０４は時間や時刻を計測するクロックを、２０５はニュースや天気予報、ＣＭなどの各種番組を表示（放映）するディスプレイを、２０６は携帯電話１０１との無線通信を制御する無線通信Ｉ／Ｆを、それぞれ示している。
【００２２】
また、図３はこの発明の実施の形態１による携帯電話１０１のハードウエア構成の一例を示す説明図である。同図において、３０１は装置全体を制御するＣＰＵを、３０２はＷｅｂブラウザや以下で説明するＵＲＬ受信プログラムを記憶したＲＯＭを、３０３はＣＰＵ３０１のワークエリアとして使用されるＲＡＭを、それぞれ示している。
【００２３】
また、３０４は後述する各種画面を表示するためのディスプレイを、３０５は十字キーや数字キーなどの各種の操作ボタンを、それぞれ示している。３０６は入力した音声を電気信号に変換するマイクを、３０７は入力した電気信号を音声に変換して出力するスピーカを、それぞれ示している。３０８は車内ＴＶ１００との間の電波の送受信を制御する第１無線通信Ｉ／Ｆを、３０９は無線基地局１０３との間の電波の送受信を制御する第２無線通信Ｉ／Ｆを、それぞれ示している。
【００２４】
つぎに、図４はこの発明の実施の形態１による車内ＴＶ１００および携帯電話１０１の構成を機能的に示す説明図である。図中、４００ｘは車内ＴＶ１００、４０１ｘは携帯電話１０１の機能部である。
【００２５】
まず、４００ａは番組データファイルであり、車内ＴＶ１００のディスプレイ２０５で放映される、各種番組のデータを格納したファイル群である。このデータは具体的には文字列、画像（静止画）または動画などであるが、これらに加えて音声や音楽が含まれていてもよい。
【００２６】
４００ｂはタイムテーブルであり、どの番組をどの順序でどの時間だけディスプレイ２０５に表示するか、すなわち各番組の放映スケジュールを保持するテーブルである。このテーブルの項目としては、各番組に付与されたＩＤ（識別番号）、当該ＩＤで特定される番組の構成ファイルの名称、当該ＩＤで特定される番組の放映順序と放映時間などのほか、当該ＩＤで特定される番組の放映中に発信するＵＲＬがある。
【００２７】
４００ｃは切替時期判定部であり、後述する表示部４００ｅにより放映中の番組がその放映を開始された時刻を保持するとともに、当該時刻から現在時刻までの経過時間、およびタイムテーブル４００ｂに設定された当該番組の放映時間から、当該番組を放映し続けるべき残り時間を算出する。そして、残り時間がゼロになった時点、すなわち「当該番組の放映開始時刻から現在時刻までの経過時間＝当該番組の放映時間」となった時点で、後述する番組切替部４００ｄに対して、放映する番組を次のものに切り替えるよう指示する。
【００２８】
４００ｄは番組切替部であり、切替時期判定部４００ｃからの指示を受けて、タイムテーブル４００ｂに設定された順序にもとづいて次に放映する番組を一つ選択するとともに、その構成ファイルを番組データファイル４００ａから読み出して、後述する表示部４００ｅに引き渡す。また、同時に当該番組に対応づけられたＵＲＬをタイムテーブル４００ｂから読み出して、後述するＵＲＬ送信部４００ｆに引き渡す。
【００２９】
４００ｅは表示部であり、番組切替部４００ｄから引き渡されたデータをディスプレイ２０５上に表示する。４００ｆはＵＲＬ送信部であり、番組切替部４００ｄから引き渡されたＵＲＬを無線電波に乗せて無線通信Ｉ／Ｆ２０６により発信する。
【００３０】
つぎに、４０１ａは入力部であり、この携帯電話１０１の保持者からの各種指示、たとえば以下で説明するＵＲＬの受信指示などを受け付ける。そして、ＵＲＬの受信指示を受けたときは、入力部４０１ａは後述するＵＲＬ受信部４０１ｂに対して上記指示を出力する。
【００３１】
４０１ｂはＵＲＬ受信部であり、入力部４０１ａからＵＲＬの受信指示が入力した場合に、車内ＴＶ１００のＵＲＬ送信部４００ｆから発信されている電波を受信して、当該電波により搬送されているＵＲＬを取り出す。そして、取り出したＵＲＬを後述するＷｅｂページ受信部４０１ｃに引き渡す。
【００３２】
４０１ｃはＷｅｂページ受信部であり、ＵＲＬ受信部４０１ｂから引き渡されたＵＲＬの飛び先、たとえばＷｅｂサーバ１０５に接続して、当該ＵＲＬで特定されるＷｅｂページの構成ファイルを取得する。４０１ｄは表示部であり、Ｗｅｂページ受信部４０１ｃから引き渡された上記ファイルを一画面に合成してディスプレイ３０４に表示する。
【００３３】
つぎに、図５はこの発明の実施の形態１による車内ＴＶ１００における、番組切替処理およびＵＲＬ送信処理の手順を示すフローチャートである。
【００３４】
車内ＴＶ１００の番組切替部４００ｄは、まず現在放映しているのが何番目の番組であるかを示す変数ｎを初期化する（ステップＳ５０１）。つぎに、ｎ番目に放映すべき番組を特定する、すなわちタイムテーブル４００ｂから順序がｎとなっているレコードを検索し（ステップＳ５０２）、当該レコードに設定されているＵＲＬを読み出すとともに（ステップＳ５０３）、当該レコードに設定されている名称のファイルを番組データファイル４００ａの中から読み出す（ステップＳ５０４）。
【００３５】
その後、ステップＳ５０４で読み出した上記ファイルを表示部４００ｅに引き渡し、ディスプレイ２０５上に表示させるとともに（ステップＳ５０５）、ステップＳ５０３で読み出したＵＲＬをＵＲＬ送信部４００ｆに引き渡し、無線通信Ｉ／Ｆ２０６から発信させる（ステップＳ５０６）。
【００３６】
その後、切替時期判定部４００ｃにより継続的に残り時間を算出・監視して、残り時間がゼロとなった場合すなわち切替時期が到来した場合に（ステップＳ５０７：Ｙｅｓ）、番組切替部４００ｄは表示部４００ｅに指示して表示中の番組の表示を打ち切らせるとともに（ステップＳ５０８）、ＵＲＬ送信部４００ｆに指示して送信中のＵＲＬの送信を打ち切らせる（ステップＳ５０９）。
【００３７】
つぎに、ｎを一つインクリメントして（ステップＳ５１０）、インクリメント後のｎがタイムテーブル４００ｂ内のレコード総数の範囲内である場合、すなわちｎがタイムテーブル４００ｂに登録されている番組の総数以下である場合は（ステップＳ５１１：Ｙｅｓ）、再びステップＳ５０２に戻って、ｎ番目の番組につき上記処理を繰り返す。
【００３８】
一方、インクリメント後のｎがタイムテーブル４００ｂ内の番組総数を超えた場合には（ステップＳ５１１：Ｎｏ）、再びステップＳ５０１に戻って、ｎ番目の番組（最初の番組）につき上記処理を繰り返す。このように、車内ＴＶ１００はタイムテーブル４００ｂに登録されている番組を、その放映順序の昇順で順次放映し、最後の番組の後には最初の番組に戻って、サイクリックに各番組の放映を繰り返す。
【００３９】
つぎに、図６はこの発明の実施の形態１による携帯電話１０１における、ＵＲＬの受信処理と当該ＵＲＬで特定されるＷｅｂページの表示処理との手順を示すフローチャートである。
【００４０】
携帯電話１０１の入力部４０１ａは、その操作者が所定の手順、たとえばいずれかの操作ボタン３０５を押下することにより、車内ＴＶ１００から発信されているＵＲＬの受信を指示したことを検知すると（ステップＳ６０１：Ｙｅｓ）、つぎにそのＵＲＬ受信部４０１ｂにより、車内ＴＶ１００から発信されている所定の周波数の電波を受信して、当該電波により搬送されているＵＲＬを取り出す（ステップＳ６０２）。
【００４１】
そして、つぎにそのＷｅｂページ受信部４０１ｃから、上記で取り出したＵＲＬで特定されるＷｅｂページの送信要求をその保管元のＷｅｂサーバ１０５に送信し（ステップＳ６０３）、上記要求を受けたＷｅｂサーバ１０５から、当該Ｗｅｂページの構成ファイルを受信する（ステップＳ６０４）。さらに、これらのファイルが表示部４０１ｄに引き渡されて、一画面に合成の上ディスプレイ３０４に表示される（ステップＳ６０５）。
【００４２】
以上説明した実施の形態１によれば、天気予報やニュース、ＣＭなどの各種番組が放映されている車内ＴＶの近くで、手持ちの携帯電話を操作するだけで、乗客は放映中の番組に対応づけられたＵＲＬを取り込んで、その飛び先のＷｅｂページを自己の携帯電話で閲覧することができる。
【００４３】
すなわち従来していたように、車内ＴＶや車内広告で宣伝されているＵＲＬをいったん記憶・記録して、あらためて携帯電話やパーソナルコンピュータに入力するといった手間を要することなく、興味を持ったときに興味を持った情報にダイレクトにアクセスすることができる。
【００４４】
そして広告主にとっても、自己の提供する情報をより多くの顧客あるいは潜在的な顧客に見てもらえる可能性が高くなり、従来の広告方法に比較してより多くの広告効果を期待できる。また、詳細情報をホームページに譲ることができるので、広告のサイズやＣＭの放映時間などを必要な範囲だけに切りつめることができ、広告宣伝費を最低限に抑えることが可能である。
【００４５】
（実施の形態２）
さて、上述した実施の形態１では、各番組に対応づけられたＵＲＬは一つであるものとしたが、たとえばスポーツニュースなどは、同じ車内でも野球ファンは野球の、サッカーファンはサッカーの試合結果を見たいのであって、それ以外の情報まではあまり必要ない。かえって、不要な情報まで携帯電話に表示させると、見づらかったり通信費がかさんだりして、かえって利便性を損なうことにもなりかねない。
【００４６】
そこで、以下に説明する実施の形態２のように、一つの番組に複数のＵＲＬを対応づけておけるようにし、車内ＴＶ１００から発信されるこれらのＵＲＬのうち、必要なものだけを個々の携帯電話１０１が選択して、選択されたＵＲＬのＷｅｂページだけを表示するようにしてもよい。
【００４７】
実施の形態２による情報配信システムのシステム構成、その中核をなす車内ＴＶ１００および携帯電話１０１のハードウエア構成は、それぞれ実施の形態１で説明したものと同様であるので説明を省略する。
【００４８】
図７は、実施の形態２による車内ＴＶ１００および携帯電話１０１の構成を機能的に示す説明図である。図４に示した実施の形態１のそれとの差異は下記２点である。
【００４９】
（１）実施の形態２による車内ＴＶ１００のタイムテーブル７００ｂでは、一つの番組に一つ以上のＵＲＬが対応づけられている。さらに、個々のＵＲＬには当該ＵＲＬが選択（採用）されるための条件、たとえば野球の試合結果を記述するＷｅｂページのＵＲＬには「趣味＝野球」という条件が、サッカーの試合結果を記述するＷｅｂページのＵＲＬには「趣味＝サッカー」という条件が、それぞれ対応づけられている。そしてある番組の放映中、ＵＲＬ送信部７００ｆからは、当該番組に対応づけられたＵＲＬと条件の組が複数個発信される。
【００５０】
（２）実施の形態２による携帯電話１０１は、実施の形態１のそれに個人情報ファイル７０１ｅとＵＲＬ選択部７０１ｆとを追加した構成である。個人情報ファイル７０１ｅには、この携帯電話１０１の保持者の個人情報、たとえば年齢、性別、職業、趣味、住所地、勤務地、出身地、家族構成などが登録される。また、ＵＲＬ選択部７０１ｆはＵＲＬ受信部７０１ｂが受信した複数のＵＲＬのうち、その選択条件が個人情報ファイル７０１ｅに記述された操作者の個人情報と合致するものを一つ選択して、Ｗｅｂページ受信部７０１ｃに引き渡す。
【００５１】
つぎに、図８はこの発明の実施の形態２による携帯電話１０１における、ＵＲＬの受信処理と当該ＵＲＬで特定されるＷｅｂページの表示処理との手順を示すフローチャートである。
【００５２】
図６に示した実施の形態１のそれとの差異は、たとえば個人情報ファイル７０１ｅにこの携帯電話１０１の保持者の趣味として「野球」が登録されていれば、ステップＳ８０２で受信した複数のＵＲＬのうち、選択条件が「趣味＝野球」となっているものだけをＵＲＬ選択部７０１ｆで選択して（ステップＳ８０３）、この選択したＵＲＬのＷｅｂページのみを取得・表示する（ステップＳ８０４〜ステップＳ８０６）点のみである。
【００５３】
以上説明した実施の形態２によれば、車内ＴＶで放映されているのが同じスポーツニュースでも、野球ファンの乗客は野球の試合結果だけを詳細に、サッカーファンの乗客はサッカーの試合結果だけを詳細に、それぞれ自己の携帯電話で閲覧することができ、各人のニーズや特性に応じたきめ細かな情報配信が可能である。
【００５４】
なお、上述した実施の形態１および２では、ある番組の放映中に自己の携帯電話を操作することにより、同時に発信されているＵＲＬを受信できるようにしたが、場合によってはこの操作も番組終了までに間に合わないことがある。そこで、たとえば番組放映中に但し書きで「詳細情報番号：３」などの番号を表示しておき、次の番組に切り替わっても、この番号を入力すると当該番号に対応づけられた番組のＵＲＬが受信できるようにしてもよい。番号に限らず、記号や文字列であってもよいことは言うまでもない。
【００５５】
また、上述した実施の形態１および２では、携帯電話はその保持者からの指示を待ってＵＲＬを受信するとともに、当該ＵＲＬで特定されるＷｅｂページにアクセスするようにしたが、たとえばあるモードに設定しておくと、いちいち指示しなくてもＴＶ上での番組の切替に連動して、各番組に関連するＷｅｂページが順次携帯電話に取り込まれるようにしてもよい。利用者は取り込んだページを、「戻る」ボタンや「進む」ボタンなどで順次切り替えて閲覧してゆくことができる。
【００５６】
また、上述した実施の形態１および２では、ＵＲＬの発信元は電車内に設置されたＴＶであるものとしたが、これに限らず駅や交差点などに設置された街頭ＴＶ、あるいは家庭用ＴＶなどにＵＲＬの発信機能を持たせ、携帯電話やＴＶのリモコンなどで当該ＵＲＬを受信して、インターネット上の詳細情報を確認できるようにしてもよい。
【００５７】
なお、上述した４００ｃ〜４００ｆおよび７００ｃ〜７００ｆの各機能部は、具体的には車内ＴＶ１００のＲＯＭ２０２からＲＡＭ２０３に読み出されたプログラムをＣＰＵ２０１が実行することにより実現されるものである。また、４０１ａ〜４０１ｄおよび７０１ａ〜７０１ｆ（ただし７０１ｅを除く）の各機能部は、携帯電話１０１のＲＯＭ３０２からＲＡＭ３０３に読み出されたプログラムをＣＰＵ３０１が実行することにより実現されるものである。これらのプログラムはＲＯＭのほか、各種の記録媒体に格納して配布することができ、またネットワークを介して配布することも可能である。
【００５８】
【発明の効果】
以上説明したようにこの発明は、個々の利用者が保持する携帯端末に対して指定されたＷｅｂページのデータを配信する情報配信システムにおいて、文字列、画像または動画などからなる番組を第１のディスプレイに表示する第１の表示手段と、前記第１の表示手段により表示中の番組に対応づけられたＵＲＬを送信するＵＲＬ送信手段と、前記ＵＲＬ送信手段により送信されたＵＲＬを受信するＵＲＬ受信手段と、前記ＵＲＬ受信手段により受信されたＵＲＬで特定されるＷｅｂページを構成するファイルを当該ファイルの保管元の情報処理装置から受信するＷｅｂページ受信手段と、前記Ｗｅｂページ受信手段により受信されたファイルを前記携帯端末上の第２のディスプレイに表示する第２の表示手段と、を備えたので、利用者は自己の携帯端末を操作することで、ＴＶ放映中の番組に関連するＷｅｂページを当該端末上に表示させることができ、これによって、ある情報に関心を示した利用者の保持する携帯端末に、当該情報の詳細などを迅速かつ効率的に配信することが可能な情報配信システムが得られるという効果を奏する。
【００５９】
また、この発明は、前記の発明において、さらに、前記ＵＲＬ送信手段により送信されたＵＲＬのうちいずれか一つを選択するＵＲＬ選択手段を備え、前記Ｗｅｂページ受信手段が、前記ＵＲＬ選択手段により選択されたＵＲＬで特定されるＷｅｂページを構成するファイルを当該ファイルの保管元の情報処理装置から受信するので、利用者は自己の携帯端末を操作することで、ＴＶ放映中の番組に関連するＷｅｂページのうち、当該利用者の特性に応じて選択されたものだけを当該端末上に表示させることができ、これによって、ある情報に関心を示した利用者の保持する携帯端末に、当該情報の詳細などを迅速かつ効率的に配信することが可能な情報配信システムが得られるという効果を奏する。
【００６０】
また、この発明は、個々の利用者が保持する携帯端末に対して指定されたＷｅｂページのデータを配信する情報配信方法において、文字列、画像または動画などからなる番組を第１のディスプレイに表示する第１の表示工程と、前記第１の表示工程で表示中の番組に対応づけられたＵＲＬを送信するＵＲＬ送信工程と、前記ＵＲＬ送信工程で送信されたＵＲＬを受信するＵＲＬ受信工程と、前記ＵＲＬ受信工程で受信されたＵＲＬで特定されるＷｅｂページを構成するファイルを当該ファイルの保管元の情報処理装置から受信するＷｅｂページ受信工程と、前記Ｗｅｂページ受信工程で受信されたファイルを前記携帯端末上の第２のディスプレイに表示する第２の表示工程と、を含んだので、利用者は自己の携帯端末を操作することで、ＴＶ放映中の番組に関連するＷｅｂページを当該端末上に表示させることができ、これによって、ある情報に関心を示した利用者の保持する携帯端末に、当該情報の詳細などを迅速かつ効率的に配信することが可能な情報配信方法が得られるという効果を奏する。
【００６１】
また、この発明は、前記の発明において、さらに、前記ＵＲＬ送信工程で送信されたＵＲＬのうちいずれか一つを選択するＵＲＬ選択工程を含み、前記Ｗｅｂページ受信工程では、前記ＵＲＬ選択工程で選択されたＵＲＬで特定されるＷｅｂページを構成するファイルを当該ファイルの保管元の情報処理装置から受信するので、利用者は自己の携帯端末を操作することで、ＴＶ放映中の番組に関連するＷｅｂページのうち、当該利用者の特性に応じて選択されたものだけを当該端末上に表示させることができ、これによって、ある情報に関心を示した利用者の保持する携帯端末に、当該情報の詳細などを迅速かつ効率的に配信することが可能な情報配信方法が得られるという効果を奏する。
【００６２】
また、この発明によれば、前記に記載された方法をコンピュータに実行させることが可能なプログラムが得られるという効果を奏する。
【図面の簡単な説明】
【図１】この発明の実施の形態１による情報配信システムのシステム構成を示す説明図である。
【図２】この発明の実施の形態１による車内ＴＶ１００のハードウエア構成を示す説明図である。
【図３】この発明の実施の形態１による携帯電話１０１のハードウエア構成を示す説明図である。
【図４】この発明の実施の形態１による車内ＴＶ１００および携帯電話１０１の機能的構成を示す説明図である。
【図５】この発明の実施の形態１による車内ＴＶ１００における、番組切替処理およびＵＲＬ送信処理の手順を示すフローチャートである。
【図６】この発明の実施の形態１による携帯電話１０１における、ＵＲＬの受信処理と当該ＵＲＬで特定されるＷｅｂページの表示処理との手順を示すフローチャートである。
【図７】この発明の実施の形態２による車内ＴＶ１００および携帯電話１０１の機能的構成を示す説明図である。
【図８】この発明の実施の形態２による携帯電話１０１における、ＵＲＬの受信処理と当該ＵＲＬで特定されるＷｅｂページの表示処理との手順を示すフローチャートである。
【符号の説明】
１００  車内ＴＶ
１０１  携帯電話
１０２  インターネット
１０３  無線基地局
１０４  ＩＳＰ
１０５  Ｗｅｂサーバ
２０１  ＣＰＵ
２０２  ＲＯＭ
２０３  ＲＡＭ
２０４  クロック
２０５  ディスプレイ
２０６  無線通信Ｉ／Ｆ
３０１  ＣＰＵ
３０２  ＲＯＭ
３０３  ＲＡＭ
３０４  ディスプレイ
３０５  操作ボタン
３０６  マイク
３０７  スピーカ
３０８  第１無線通信Ｉ／Ｆ
３０９  第２無線通信Ｉ／Ｆ
４００ａ，７００ａ  番組データファイル
４００ｂ，７００ｂ  タイムテーブル
４００ｃ，７００ｃ  切替時期判定部
４００ｄ，７００ｄ  番組切替部
４００ｅ，７００ｅ  表示部
４００ｆ，７００ｆ  ＵＲＬ送信部
４０１ａ，７０１ａ  入力部
４０１ｂ，７０１ｂ  ＵＲＬ受信部
４０１ｃ，７０１ｃ  Ｗｅｂページ受信部
４０１ｄ，７０１ｄ  表示部
７０１ｅ  個人情報ファイル
７０１ｆ  ＵＲＬ選択部
【図１】
0003986863.tif 000002
【図２】
0003986863.tif 000003
【図３】
0003986863.tif 000004
【図４】
0003986863.tif 000005
【図５】
0003986863.tif 000006
【図６】
0003986863.tif 000007
【図７】
0003986863.tif 000008
【図８】
0003986863.tif 000009